【事件の表示】
　特願２０１５−１９５２２１「水圧転写フィルム及びこれを用いた加飾成形品」拒絶査定不服審判事件〔平成２９年　４月　６日出願公開、特開２０１７−　６５１６６、請求項の数（９）〕について、次のとおり審決する。
【結　論】
　原査定を取り消す。
　本願の発明は、特許すべきものとする。
【理　由】
第１　事案の概要
１　手続等の経緯
　特願２０１５−１９５２２１号（以下、「本件出願」という。）は、平成２７年９月３０日を出願日とする出願であって、その手続等の経緯は、以下のとおりである。
　令和元年　６月２５日付け：拒絶理由通知書
　令和元年　８月３０日　　：意見書
　令和元年　８月３０日　　：手続補正書
　令和元年１２月２０日付け：拒絶査定（以下「原査定」という。）
　令和２年　４月　７日　　：審判請求書
　令和２年　５月１３日　　：手続補正書（方式）
　令和２年１０月３０日付け：拒絶理由通知書
　（この拒絶理由通知書によって通知された拒絶の理由を、以下、「当審拒絶理由」という。）
　令和２年１２月　７日　　：意見書
　令和２年１２月　７日　　：手続補正書
　（この手続補正書による補正を、以下、「本件補正」という。）
２　原査定の概要
　原査定の拒絶の理由は、概略、本件出願の請求項１〜６、８及び９に係る発明（令和元年８月３０日にした手続補正後のもの）は、[A]本件出願前に日本国内又は外国において電気通信回線を通じて公衆に利用可能となった、特開２０１５−６６７８６号公報（以下「引用文献１」という。）に記載された発明であるから、特許法第２９条第１項第３号に該当し、特許を受けることができない、及び、[B]引用文献１に記載された発明に基づいて、本件出願前にその発明の属する技術の分野における通常の知識を有する者（以下「当業者」という。）が容易に発明をすることができたものであるから、特許法２９条２項の規定により特許を受けることができない、というものである。
３　当審拒絶理由の概要
　当審拒絶理由は、概略、本件出願の請求項１〜９の記載は、特許を受けようとする発明が、発明の詳細な説明に記載したものであるということができないから、特許法３６条６項１号に規定する要件を満たしていない、というものである。
４　本願発明
　本件出願の請求項１〜９に係る発明（以下、それぞれ「本願発明１」〜「本願発明９」という。）は、本件補正後の特許請求の範囲の請求項１〜９に記載された事項によって特定されるとおりの、以下のものである。
「　【請求項１】
　少なくとも、水溶性フィルムと、部分的に設けられた意匠層と、プライマー層とをこの順に有する水圧転写フィルムであって、
　前記意匠層は、艶消し剤を含んでおり、
　前記プライマー層は、アクリルポリマーポリオールを含む樹脂組成物により形成されており、
　前記プライマー層は、部分的に設けられており、
　前記プライマー層が形成されている部分と前記プライマー層が形成されていない部分は、前記意匠層が形成されている部分の上に形成されている、水圧転写フィルム。
　　【請求項２】
　前記プライマー層を形成する樹脂組成物は、ウレタン樹脂をさらに含む、請求項１に記載の水圧転写フィルム。
　　【請求項３】
　前記意匠層上において、前記プライマー層が形成されている部分と形成されていない部分とがパターン状に形成されている、請求項１または２に記載の水圧転写フィルム。
　　【請求項４】
　前記プライマー層の前記水溶性フィルムとは反対側に、絵柄層をさらに有する、請求項１〜３のいずれかに記載の水圧転写フィルム。
　　【請求項５】
　前記絵柄層が木目模様を形成しており、前記意匠層が、前記木目模様の導管部分を形成している、請求項４に記載の水圧転写フィルム。
　　【請求項６】
　前記プライマー層は、アクリルポリマーポリオールを含む樹脂組成物の塗布又は印刷によりパターン状に形成されている、請求項１〜５のいずれかに記載の水圧転写フィルム。
　　【請求項７】
　以下の工程（Ａ）及び（Ｂ）を順に有する、水圧転写フィルムの製造方法。
　工程（Ａ）水溶性フィルムの表面上に、艶消し剤を含む意匠層を部分的に積層する工程
　工程（Ｂ）前記意匠層の上から、アクリルポリマーポリオールを含む樹脂組成物により形成されたプライマー層を部分的に積層する工程
　前記工程（Ｂ）において、前記プライマー層が形成されている部分と前記プライマー層が形成されていない部分は、前記意匠層が形成されている部分の上に形成する。
　　【請求項８】
　下記の工程（ａ）〜（ｄ）を順に有する加飾成形品の製造方法。
工程（ａ）請求項１〜７のいずれかに記載の水圧転写フィルムを、水溶性フィルム側が下向きで水面側に向くように水面に浮遊させる工程
工程（ｂ）前記水圧転写フィルムの前記プライマー層側に活性剤組成物を塗布する活性剤塗布工程
工程（ｃ）該工程（ａ）及び（ｂ）を経た、水面に浮遊している水圧転写フィルム上に被転写体を押圧し、水圧によって前記プライマー層側を被転写体の被転写面に密着させる工程
工程（ｄ）該被転写体の被転写面に密着した水溶性フィルムを除去する脱膜工程
　　【請求項９】
　少なくとも、成形品の表面上に、プライマー層と、部分的に設けられた意匠層とをこの順に有する加飾成形品であって、
　前記意匠層は、艶消し剤を含んでおり、
　前記プライマー層は、アクリルポリマーポリオールを含む樹脂組成物により形成されており、
　前記プライマー層は、部分的に形成されており、
　前記プライマー層が形成されている部分と前記プライマー層が形成されていない部分は、前記意匠層が形成されている部分の上に形成されている、加飾成形品。」
第２　当合議体の判断
１　引用文献の記載及び引用発明
（１）引用文献１の記載
　原査定の拒絶の理由で引用された引用文献１（特開２０１５−６６７８６号公報）は、本件出願前に日本国内又は外国において電気通信回線を通じて公衆に利用可能となった発明が記載されたものであるところ、そこには、以下の記載がある。なお、下線は当合議体が付したものであり、引用発明の認定及び判断等に活用した箇所を示す。
ア　「【技術分野】
【０００１】
　本発明は、水圧転写フィルム用活性剤組成物、及びこれを用いた加飾成形品の製造方法に関する。
【背景技術】
【０００２】
　近年の消費者志向の変化に伴い、自動車内装材をはじめとし、建材、家電製品、ＯＡ機器などの各種部材に装飾する意匠には、多様化、高級化が求められている。このような各種部材への加飾方法は様々なものが知られているが、これらの部材は複雑な三次元形状を有するものが多いことから、複雑な三次元形状に適する水圧転写フィルムを用いた水圧転写法が好適に用いられている。
…中略…
【発明が解決しようとする課題】
【０００６】
　本発明は、水圧転写法において水圧転写フィルムを活性化させる活性剤組成物に着目し、様々な水圧転写フィルムに対応し、かつ該転写フィルムの優れた付きまわり性が得られる活性剤組成物、及びこれを用いた加飾成形品の製造方法を提供することを目的とする。
…中略…
【発明の効果】
【０００９】
　本発明の活性剤組成物によれば、様々な水圧転写フィルムに対応し、かつ該転写フィルムの優れた付きまわり性が得られ、また該活性剤組成物を用いた加飾成形品の製造方法により優れた外観を有する加飾成形品が得られる。」
イ　「【発明を実施するための最良の形態】
【００１１】
〔水圧転写フィルム用活性剤組成物〕
　水圧転写フィルム用活性剤組成物は、水圧転写フィルムにおける、被転写体に転写される意匠層の少なくとも一部を溶解又は膨潤して軟化（活性化）しうる組成物であり、また後述する被転写体の表面を溶解させる機能を有する組成物である。
…中略…
【００２４】
　水溶性フィルム１としては、
水溶性又は水膨潤性を有するものであ
…中略…
【００９１】
〔水圧転写フィルムＤ〕
　本発明の活性剤組成物が好適に用いられる水圧転写フィルムとしては、水溶性フィルム上に光輝性顔料を含む意匠層と樹脂層とを順に有しており、少なくとも該樹脂層の意匠層の側とは反対側の面に凹凸形状を有し、該樹脂層がアクリルポリマーポリオールを含む樹脂組成物及び／又はその硬化物からなるものが好ましく挙げられる（以後、水圧転写フィルムＤと称する場合がある。）。以下、水圧転写フィルムＤについて、図７及び８を用いて説明する。
【００９２】
　図７及び８は本発明の活性剤組成物が好適に用いられる水圧転写フィルムＤの構成の一例を示す概略断面図である。
水圧転写フィルムＤ
水溶性フィルム１、光輝性顔料を含む意匠層３、及び樹脂層２を順に有しており、
意匠層３の樹脂層２とは反対側の面に凹凸形状５を有して
水圧転写フィルムＤは、樹脂層２ａ及び２ｂの２層の樹脂層２を有して
【００９３】
　
水圧転写フィルムＤの水溶性フィルム１は、水圧転写フィルムＡと同様のものが好ましく挙げられる。
　水圧転写フィルムＤの意匠層３は、
光輝性を発現し、水溶性フィルム１と樹脂層２との間に設けられる層であ
【００９４】
　水圧転写フィルムＤの樹脂層２は、意匠層３の上に設けられ、該意匠層３の側とは反対側の面に凹凸形状５を有し、かつ
樹脂層２がアクリルポリマーポリオールを含む樹脂組成物及び／又はその硬化物からなる層である
このような構成の樹脂層２を設けることにより、
水圧転写時に意匠層３が伸展しすぎるのを抑制
【００９５】
　本発明において、樹脂層２は、樹脂成形品に転写された後の意匠層３の裏面側に位置する層となり、該意匠層３が樹脂層２を通して視認されることがない。よって、透明、半透明や不透明、あるいは着色の有無は問わず、所望の意匠に応じて選択することができる。また、樹脂層２は単層構成でもよく、二層以上の複層構成であってもよい。
【００９６】
　水圧転写フィルムＤにおいて、凹凸形状５は、少なくとも樹脂層２の意匠層３の側とは反対側の面に存在する。水圧転写フィルムＤは、凹凸形状５を有し、かつ
水圧転写時に該凹凸形状５に対応する凹凸感発現部を形成して凹凸感を保持することで、光輝性に加えて高級感を発現しうる
図８に示されるように、樹脂層２が二層以上の複層構成である場合、凹部は樹脂層２ｂ内に留まるものであってもよいし、樹脂層２ａ、意匠層３、更には水溶性フィルム１にまで至るものであってもよい
…中略…
【０１００】
　樹脂層２は、２層以上の複層構成であることが好ましい。複層構成とすることで、賦型性や意匠性を更に向上させることができる。賦型性や意匠性に加え、転写加工性（追従性）を考慮すると、２〜４層であることが好ましく、２〜３層であることがより好ましく、特に好ましくは２層である。また、水圧転写時の活性剤の塗布の時間を確保し、活性剤の樹脂層２や意匠層３への浸透の度合いを調整しやすく、より好適に被転写体に転写することができる。
【０１０１】
　
樹脂層２が複層構成の場合、最表面の樹脂層２は、アルキッド樹脂と
ニトロセルロース樹脂とを含む樹脂組成物により形成されており、最表面以外の樹脂層２はアクリルポリオール樹脂を含む樹脂組成物
の硬化物からなるもの
…中略…
【０１０３】
　水圧転写フィルムＤは、例えば、工程（Ａ）水溶性フィルム１上に、光輝性顔料を含む意匠層３を積層する工程、工程（Ｂ）該意匠層３上に、アクリルポリマーポリオールを含む樹脂組成物及び／又はその硬化物からなる樹脂層２を積層する工程、及び
工程（Ｃ）該樹脂層２の該意匠層３の側とは反対側の面からエンボス加工を施し、少なくとも該樹脂層２の該反対側の面に凹凸形状５を設ける工程
…中略…
【０１０７】
〔加飾成形品の製造方法〕
　本発明の加飾成形品の製造方法は、工程（ａ）水溶性フィルム上に、意匠層を少なくとも有する水圧転写フィルムを、該水溶性フィルム側が水面に向くように水面に浮遊させる前又は後に、該意匠層側から、少なくともイソホロンを含む水圧転写フィルム用活性剤組成物…中略…を塗布する活性剤組成物塗布工程、工程（ｂ）該工程（ａ）を経た水圧転写フィルム上に被転写体を押圧し、水圧によって該意匠層側の面と被転写体の被転写面とを密着させる工程、及び工程（ｃ）該被転写体の被転写面に密着した水溶性フィルムを除去する脱膜工程を順に有することを特徴とするものである。また、必要に応じて工程（ｄ）被転写体の被転写面上にトップコート層を形成する工程を有してもよい。
…中略…
【０１２０】
　また、図１０は本発明の加飾成形品の製造方法により得られる加飾成形品の構成の一例を示す概略断面図であり、
水圧転写フィルムＤを用いた際の加飾成形品を示すものである
ウ　「【図７】
【図８】
…中略…
【図１０】
」
（２）引用発明
ア　引用文献１の【００９２】及び【図８】には、「水溶性フィルム１、光輝性顔料を含む意匠層３、及び樹脂層２を順に有しており、意匠層３の樹脂層２とは反対側の面に凹凸形状５を有して」いる「水圧転写フィルムＤ」であって、「水圧転写フィルムＤは、樹脂層２ａ及び樹脂層２ｂの２層の樹脂層２を有して」いるものが記載されている。
イ　ここで、上記「水溶性フィルム１」は、【００９３】の「水圧転写フィルムＤの水溶性フィルム１は、水圧転写フィルムＡと同様のものが好ましく挙げられる。」という記載を考慮すると、「水溶性又は水膨潤性を有するものであ」（【００２４】）る。また、上記「意匠層３」は、【００９３】に記載のとおり、「光輝性を発現し、水溶性フィルム１と樹脂層２との間に設けられる層であ」る。さらに、上記「樹脂層２」については、【０１０１】の記載から、「樹脂層２が複層構成の場合、最表面の樹脂層２は、アルキッド樹脂と」「ニトロセルロース樹脂とを含む樹脂組成物により形成されており、最表面以外の樹脂層２はアクリルポリオール樹脂を含む樹脂組成物」「の硬化物からなるもの」を把握できる。
ウ　上記ア及びイより、引用文献１には、「水圧転写フィルム」として、次の発明が記載されていると認められる（以下、「引用発明」という。）。
「　水溶性フィルム１、光輝性顔料を含む意匠層３、及び樹脂層２を順に有しており、意匠層３の樹脂層２とは反対側の面に凹凸形状５を有している水圧転写フィルムＤであって、
　水圧転写フィルムＤは、樹脂層２ａ及び樹脂層２ｂの２層の樹脂層２を有し、
　水溶性フィルム１は、水溶性又は水膨潤性を有するものであり、
　意匠層３は光輝性を発現し、水溶性フィルム１と樹脂層２との間に設けられる層であり、
　樹脂層２は、樹脂層２が複層構成の場合、最表面の樹脂層２は、アルキッド樹脂とニトロセルロース樹脂とを含む樹脂組成物により形成されており、最表面以外の樹脂層２はアクリルポリオール樹脂を含む樹脂組成物の硬化物からなるものである、
　水圧転写フィルムＤ。」
２　対比及び判断
（１）対比
　本願発明１と引用発明を対比すると以下のとおりとなる。
ア　水溶性フィルム
　引用発明の「水溶性フィルム」は、「水溶性又は水膨潤性を有するものであ」る。
　ここで、本件出願の明細書の【００２０】には、「水溶性フィルムとしては、水溶性又は水膨潤性を有するものであればよく」と記載されている。
　そうしてみると、引用発明の「水溶性フィルム」は、本願発明１の「水溶性フィルム」に相当する。
イ　水圧転写フィルム
　引用発明の「水圧転写フィルム」は、その文言上の意味から、本願発明１の「水圧転写フィルム」に相当する。また、引用発明の「水圧転写フィルム」と本願発明１の「水圧転写フィルム」は、「少なくとも、水溶性フィルム」「を」「有する」点で共通する。
（２）一致点及び相違点
ア　一致点
　本願発明１と引用発明は、次の構成で一致する。
　「少なくとも、水溶性フィルムを有する水圧転写フィルム。」
イ　相違点
　本願発明１と引用発明は、次の点で相違する。
（相違点１）
　「水圧転写フィルム」が、本願発明１は、「少なくとも、水溶性フィルム
と、部分的に設けられた意匠層と、プライマー層と
この順に
（相違点２）
　「意匠層」が、本願発明１は、「艶消し剤を含んで」いるのに対し、引用発明は、この構成を具備しない、又は具備するとは特定されていない点。
（相違点３）
　「プライマー層」が、本願発明１は、「アクリルポリマーポリオールを含む樹脂組成物により形成されており」、「部分的に設けられており」、「前記プライマー層が形成されている部分と前記プライマー層が形成されていない部分は、前記意匠層が形成されている部分の上に形成されている」のに対し、引用発明は、これらの構成を具備しない、又は、具備するとは特定されていない点。
（３）判断
ア　２９条１項３号について
　本願発明１と引用発明は、前記（２）イで述べた相違点において相違する。
　したがって、本願発明１と引用発明は、同一ではない。
イ　２９条２項について
　事案に鑑みて、相違点３について検討する。
　引用発明の「水圧転写フィルムＤ」における各層の順番及び材料を考慮すると、引用発明の各層のうち、本願発明の「プライマー層」に最も類似する層は、「最表面以外の樹脂層２」である。
　しかしながら、引用文献１には、「最表面以外の樹脂層２」が、部分的に設けられている構成は記載されていない。また、引用発明の「意匠層３」は、どちらかといえば、請求項４に記載の「絵柄層」に対応するものであるが、仮に、引用発明の「意匠層３」を本願発明１の「意匠層」に対応させるとしても、引用文献１には、引用発明の「最表面以外の樹脂層２」が形成されていない部分が、「意匠層３」が形成されている部分の上に形成されている構成は、記載されていない。かえって、引用文献１の図８を参照すると、「最表面以外の樹脂層２」（樹脂層２ａ）は、部分的に設けられておらず、また、「意匠層３」の上は、全て「最表面以外の樹脂層２」によって覆われている。
　加えて、引用文献１の図１０は、「水圧転写フィルムＤを用いた際の加飾成形品を示すものである」ところ、「意匠層３」の上は、全て「最表面以外の樹脂層２」によって覆われている。そして、図１０のような加飾成形品を得るために、引用発明の「最表面以外の樹脂層２」を、部分的に設ける必要性（動機付け）があるとはいえない。
　ところで、引用発明の「凹凸形状５」について、引用文献１の【００９６】には、「図８に示されるように、樹脂層２が二層以上の複層構成である場合、凹部は樹脂層２ｂ内に留まるものであってもよいし、樹脂層２ａ、意匠層３、更には水溶性フィルム１にまで至るものであってもよい」と記載されている。また、図８からは、比較的急峻な「凹凸形状５」が看取される。しかしながら、引用発明の「凹凸形状５」は、「エンボス加工」（【０１０６】）によって形成されるものであり、「最表面以外の樹脂層２」を切削等により取り除くことにより形成されるものではない。製造工程を考慮しても、「最表面以外の樹脂層２」が部分的に設けられたり、「最表面以外の樹脂層２」が形成されていない部分が、「意匠層３」が形成されている部分の上に形成される構成には到らない。
　さらに加えて、引用文献１の【００９４】には、「樹脂層２がアクリルポリマーポリオールを含む樹脂組成物及び／又はその硬化物からなる層である」こと、及び「このような構成の樹脂層２を設けることにより」、「水圧転写時に意匠層３が伸展しすぎるのを抑制」されることが記載されている。このような記載に接した当業者ならば、引用発明の「最表面以外の樹脂層２」は、「意匠層３」の全面を覆うように設けた方が、「意匠層３」の伸展を均一に抑制できることに気付くといえるから、引用発明において、「意匠層３」が形成されている部分の上に「最表面以外の樹脂層２」が形成されていない部分を設けることには、阻害要因があるといえる。
（４）小括
　以上のとおりであるから、本願発明１は、引用文献１に記載された発明と同一ではなく、また、たとえ当業者といえども、引用文献１に記載された発明に基づいて、容易に発明をすることができたものであるということもできない。
（５）請求項２〜請求項９について
　本件出願の請求項２〜請求項６に係る発明は、本願発明１の構成に対して、さらに他の発明特定事項を付加してなる「水圧転写フィルム」であるから、いずれも、少なくとも上記相違点３に係る本願発明１の構成を具備する。
　そうしてみると、これら発明についても、引用文献１に記載された発明と同一ではなく、また、たとえ当業者といえども、引用文献１に記載された発明に基づいて、容易に発明をすることができたものであるということができない。
　本件出願の請求項７に係る発明は、少なくとも、「工程（Ｂ）前記意匠層の上から、アクリルポリマーポリオールを含む樹脂組成物により形成されたプライマー層を部分的に積層する工程」であって、「前記工程（Ｂ）において、前記プライマー層が形成されている部分と前記プライマー層が形成されていない部分は、前記意匠層が形成されている部分の上に形成する」工程を具備する、「水圧転写フィルムの製造方法」の発明である。
　そうしてみると、本件出願の請求項７に係る発明は、少なくとも上記相違点３に係る本願発明１の構成に対応する構成を具備するものである。
　したがって、本願発明１と同様の理由により、本件出願の請求項７に係る発明も、引用文献１に記載された発明と同一ではなく、また、たとえ当業者といえども、引用文献１に記載された発明に基づいて、容易に発明をすることができたものであるということができない。
　本件出願の請求項８及び請求項９に係る発明も、少なくとも上記相違点３に係る本願発明１の構成に対応する構成を具備する「加飾成形品の製造方法」及び「加飾成形品」の発明である。
　したがって、本願発明１と同様の理由により、本件出願の請求項８及び請求項９に係る発明も、引用文献１に記載された発明と同一ではなく、また、たとえ当業者といえども、引用文献１に記載された発明に基づいて、容易に発明をすることができたものであるということができない。
第３　原査定の拒絶の理由について
　前記「第２」で述べたとおりであるから、原査定の拒絶の理由によっては、本件出願を拒絶することはできない。
第４　当審拒絶理由（特許法３６条６項１号）について
　本件補正により、当審拒絶理由は解消した。
第５　むすび
　以上のとおり、原査定の拒絶の理由及び当合議体が通知した拒絶の理由によっては、本件出願を拒絶することはできない。
　また、他に本件出願を拒絶すべき理由を発見しない。
　よって、結論のとおり審決する。